(57)【要約】      （修正有）【課題】支柱などの支柱部材に設けたフックに対するフレームの着脱や、支持部材におけるフック位置の位置調整作業を容易にして、使い勝手を良くすることができる自転車用スタンドを提供する。【解決手段】自転車用スタンド１は、支柱３と、自転車のフレームを支えるフック４，５と、フック４，５を支柱３に位置決めする固定機構とを備えている。固定機構においては、支柱３の案内壁部を挟持する一対の挟持部を案内壁部に対し圧接または圧接解除させる力伝達部に対しフック４，５の操作部を回動可能に支持し、操作部の回動操作に伴い力伝達部の圧接面に操作部の操作面を接触させて、一対の挟持部間で案内壁部に対する締付力を付与する固定状態と、その締付力を緩めてフック４，５の操作部を一対の挟持部及び力伝達部とともに案内壁部に対し上下方向へ移動し得る移動可能状態とを取り得る。【選択図】図１
2014034234.tif 000002
【特許請求の範囲】
【請求項１】
支持部材と、自転車のフレームを支えるフックと、そのフックを支持部材に位置決めする固定機構とを備えた自転車用スタンドにおいて、この固定機構は、
支持部材で延設した案内壁部と、その案内壁部を挟持するように相対動可能に設けた一対の挟持部と、その両挟持部を案内壁部に対し圧接または圧接解除させるように挟持部に連動する力伝達部と、その力伝達部に対し回動可能に支持したフックの操作部と、この力伝達部に設けた圧接面と、この操作部に設けた操作面とを備え、この操作部の回動操作に伴い圧接面に操作面を接触させて、一対の挟持部間で案内壁部に対する締付力を付与する固定状態と、その締付力を緩めてフックの操作部を一対の挟持部及び力伝達部とともに案内壁部に対し上下方向へ移動し得る移動可能状態とを取り得る
ことを特徴とする自転車用スタンド。
【請求項２】
前記支持部材は、上下方向へ延設した案内壁部を有する支柱であることを特徴とする請求項１に記載の自転車用スタンド。
【請求項３】
前記フックは、自転車のフレームにおけるシ−トステーを支える上側のフックと、自転車のフレームにおけるチェーンステーを支える下側のフックとを有していることを特徴とする請求項２に記載の自転車用スタンド。
【請求項４】
前記力伝達部は、案内壁部に挿通した案内軸部と、その案内軸部でフックの操作部を回動可能に支持する回動中心軸部と、この案内軸部が挿通されて一方の挟持部に対し並設された圧接部とを備え、前記圧接面はこの圧接部に設けられ、前記回動中心軸部と圧接部と一方の挟持部と案内壁部と他方の挟持部とを案内軸部に沿って並設したことを特徴とする請求項１〜３のうちいずれか一つの請求項に記載の自転車用スタンド。
【請求項５】
前記案内軸部は両挟持部に挿通され、前記圧接部は一方の挟持部に対し分離して設けられて並設され、他方の挟持部は案内軸部に対し分離して設けられて案内壁部に並設されていることを特徴とする請求項４に記載の自転車用スタンド。
【請求項６】
前記圧接部の圧接面は回動中心軸部の回動中心線を中心として円弧状に延設され、前記操作部の操作面は回動中心軸部の回動中心線に対し偏った中心線を中心として円弧状に延設されていることを特徴とする請求項４または請求項５に記載の自転車用スタンド。
【請求項７】
前記フックの操作部と力伝達部の圧接部とは、案内壁部に対し力伝達部の案内軸部の軸線を中心に回動可能に支持されていることを特徴とする請求項４〜６のうちいずれか一つの請求項に記載の自転車用スタンド。
【発明の詳細な説明】
【技術分野】
【０００１】
本発明は、自転車のメンテナンス時や展示及び保管時などに利用する自転車用スタンドに関するものである。
【背景技術】
【０００２】
下記の特許文献１では、後輪を挟む左右両側から後輪のハブ軸の左右両端部を筒部により支える自転車用スタンドが開示されている。このような自転車用スタンドでは、左右両筒部を左右方向へ互いに広げて、後輪のハブ軸の左右両端部を左右両筒部に挿入したり左右両筒部から外したりする必要があるため、使い勝手が悪くなるおそれがあった。
【０００３】
図１０に示す自転車用スタンド１では、支柱３に上側のフック４と下側のフック５とが取り付けられ、自転車の片側に支柱３を配置して、上側のフック４に自転車のシ−トステーを支えるとともに、下側のフック５に自転車のチェーンステーを支える。自転車用スタンド１の使用時には、シ−トステー及びチェーンステーをフック４，５に載せたりフック４，５から持ち上げて外したりするだけでよいため、使い勝手が良くなる。
【先行技術文献】
【特許文献】
【０００４】
【特許文献１】特開２０１０−８９６７８号公報
【発明の概要】
【発明が解決しようとする課題】
【０００５】
しかし、図１０に示す自転車用スタンド１では、各フック４，５が支柱３の固定部にナット２９により締め付けられて固定されているため、シ−トステー及びチェーンステーに合わせて各フック４，５の上下方向位置（高さ）や各フック４，５間の間隔を変更することは難しい。また、支柱３に複数の固定部を上下方向の適宜間隔で設ければ、シ−トステー及びチェーンステーに合わせて各フック４，５の上下方向位置（高さ）や各フック４，５間の間隔をある程度変更することはできるが、支柱３で各フック４，５を移し替える際にはナット２９の着脱操作を必要とするため、各フック４，５の移し替えは大変面倒な作業である。
【０００６】
この発明は、支柱などの支持部材に設けたフックに対するフレームの着脱や、支持部材におけるフックの位置調節作業を容易にして、使い勝手を良くすることができる自転車用スタンドを提供することを目的としている。
【課題を解決するための手段】
【０００７】
後記実施形態の図面（図１〜９）の符号を援用して本発明を説明する。
請求項１の発明にかかる自転車用スタンド（１）は、支持部材（３）と、自転車（２５）のフレーム（２６）を支えるフック（４，５）と、そのフック（４，５）を支持部材（３）に位置決めする固定機構（６）とを備えている。この固定機構（６）は、支持部材（３）で延設した案内壁部（１４）と、その案内壁部（１４）を挟持するように相対動可能に設けた一対の挟持部（１５，１６）と、その両挟持部（１５，１６）を案内壁部（１４）に対し圧接または圧接解除させるように挟持部（１５，１６）に連動する力伝達部（１９，１８，１７）と、その力伝達部（１９，１８，１７）に対し回動可能に支持したフック（４，５）の操作部（２２）と、この力伝達部（１９，１８，１７）に設けた圧接面（１７ａ）と、この操作部（２２）に設けた操作面（２２ａ）とを備えている。この操作部（２２）の回動操作に伴い圧接面（１７ａ）に操作面（２２ａ）を接触させて、一対の挟持部（１５，１６）間で案内壁部（１４）に対する締付力を付与する固定状態（Ｐ）と、その締付力を緩めてフック（４，５）の操作部（２２）を一対の挟持部（１５，１６）及び力伝達部（１９，１８，１７）とともに案内壁部（１４）に対し上下方向へ移動し得る移動可能状態（Ｑ）とを取り得る。
【０００８】
請求項１の発明では、自転車用スタンド（１）の使用時に支持部材（３）を自転車（２５）の片側に配置してフレーム（２６）をフック（４，５）に支えるので、フレーム（２６）をフック（４，５）に載せたりフック（４，５）から持ち上げて外したりするだけでよく、また、固定機構（６）においてフック（４，５）の操作部（２２）を回動操作するだけで支持部材（３）に対し固定したり移動させたりすることができるので、フレーム（２６）の形態に合わせてフック（４，５）の位置を容易に変更することができる。
【０００９】
請求項１の発明を前提とする請求項２の発明において、前記支持部材は、上下方向へ延設した案内壁部（１４）を有する支柱（３）である。請求項２の発明では、立設された支柱（３）に設けたフック（４，５）に対し自転車（２５）のフレーム（２６）を支えることができる。
【００１０】
請求項２の発明を前提とする請求項３の発明において、前記フックは、自転車（２５）のフレーム（２６）におけるシ−トステー（２７）を支える上側のフック（４）と、自転車（２５）のフレーム（２６）におけるチェーンステー（２８）を支える下側のフック（５）とを有している。請求項３の発明では、フレーム（２６）のシ−トステー（２７）及びチェーンステー（２８）をそれぞれフック（４，５）により安定性良く支えることができるばかりではなく、各フック（４，５）の上下方向位置（高さ）や各フック（４，５）間の上下方向間隔を容易に変更することができる。
【００１１】
請求項１〜３のうちいずれか一つの請求項の発明を前提とする請求項４の発明において、前記力伝達部は、案内壁部（１４）に挿通した案内軸部（１９）と、その案内軸部（１９）でフック（４，５）の操作部（２２）を回動可能に支持する回動中心軸部（１８）と、この案内軸部（１９）が挿通されて一方の挟持部（１５）に対し並設された圧接部（１７）とを備えている。前記圧接面（１７ａ）はこの圧接部（１７）に設けられている。前記回動中心軸部（１８）と圧接部（１７）と一方の挟持部（１５）と案内壁部（１４）と他方の挟持部（１６）とを案内軸部（１９）に沿って並設している。ちなみに、請求項５の発明以外に、圧接部（１７）を一方の挟持部（１５）と一体的に設けて並設したり、他方の挟持部（１６）を案内軸部（１９）と一体的に設けたりしてもよい。請求項４の発明では、固定機構（６）において両挟持部（１５，１６）を案内壁部（１４）に圧接したりその圧接を解除したりする連動力を円滑に伝達することができる。
【００１２】
請求項４の発明を前提とする請求項５の発明において、前記案内軸部（１９）は両挟持部（１５，１６）に挿通され、前記圧接部（１７）は一方の挟持部（１５）に対し分離して設けられて並設され、他方の挟持部（１６）は案内軸部（１９）に対し分離して設けられて案内壁部（１４）に並設されている。請求項５の発明では、固定機構（６）を容易に組み付けることができる。
【００１３】
請求項４または請求項５の発明を前提とする請求項６の発明において、前記圧接部（１７）の圧接面（１７ａ）は回動中心軸部（１８）の回動中心線（１８ａ）を中心として円弧状に延設され、前記操作部（２２）の操作面（２２ａ）は回動中心軸部（１８）の回動中心線（１８ａ）に対し偏った中心線（１８ｂ）を中心として円弧状に延設されている。請求項６の発明では、固定機構（６）において圧接部（１７）の圧接面（１７ａ）及び操作部（２２）の操作面（２２ａ）を容易に形成することができる。
【００１４】
請求項４〜６のうちいずれか一つの請求項の発明を前提とする請求項７の発明において、前記フック（４，５）の操作部（２２）と力伝達部（１９，１８，１７）の圧接部（１７）とは、案内壁部（１４）に対し力伝達部（１９，１８，１７）の案内軸部（１９）の軸線（１９ａ）を中心に回動可能に支持されている。請求項７の発明では、支持部材（３）に対するフック（４，５）の位置ばかりではなくフック（４，５）の向きもフレーム（２６）の形態に合わせて容易に変更することができる。
【発明の効果】
【００１５】
本発明は、自転車用スタンド（１）において支持部材（３）に設けたフック（４，５）に対するフレーム（２６）の着脱や、支持部材（３）におけるフック（４，５）の位置調節作業を容易にして、使い勝手を良くすることができる。
【図面の簡単な説明】
【００１６】
【図１】自転車用スタンドに対する自転車の支持状態を概略的に示す斜視図である。
【図２】自転車用スタンドにおいてフックの固定状態を示す側面図である。
【図３】固定状態にある図２のフックを示す部分拡大側面図である。
【図４】図３のフックを側面側から見た断面図である。
【図５】図３のフックの一部を切り欠いて平面側から見た断面図である。
【図６】図３のフックの一部切欠き正面図である。
【図７】図３のフックを移動可能状態にした一部切欠き側面図である。
【図８】図７のフックの一部を切り欠いて平面側から見た断面図である。
【図９】図６のフックの向きを変更した固定状態を示す正面図である。
【図１０】従来の自転車用スタンドを示す側面図である。
【発明を実施するための形態】
【００１７】
以下、本発明の一実施形態にかかる自転車用スタンドについて図１〜９を参照して説明する。
図１及び図２，３に示す自転車用スタンド１においては、台２上に筒状の支柱３（支持部材）が立設されている。支柱３には上側のフック４と下側のフック５とがそれぞれ固定機構６により位置決めされている。図５に示すように、支柱３においては、前外壁８と後外壁９と左外壁１０と右外壁１１とを有する外周壁７内で前外壁８と後外壁９との間に左内壁１２と右内壁１３とが連結され、左内壁１２と右内壁１３との間で前外壁８に上下方向へ延設された案内壁部１４には案内孔１４ａが図２に示すように支柱３の上端部から下端部にわたる全体に設けられている。図２に示すように支柱３の上端部にはキャップ３ａが着脱可能に被せられている。
【００１８】
図４に示すように、固定機構６は、案内壁部１４を挟持するように相対動可能に配設された一対の挟持部１５，１６のうち、案内壁部１４の外側に配設された外側挟持部１５と、案内壁部１４の内側に配設された内側挟持部１６と、外側挟持部１５の外側に配設された圧接部１７（力伝達部）と、圧接部１７の外側に配設された回動中心軸部１８（力伝達部）と、案内壁部１４の案内孔１４ａを通して両挟持部１５，１６と圧接部１７と回動中心軸部１８とに挿通された案内軸部１９（力伝達部）とを有している。案内軸部１９はボルト２０及びナット２１である。回動中心軸部１８と圧接部１７と外側挟持部１５と案内壁部１４と内側挟持部１６とは、互いに分離されて設けられているとともに案内軸部１９に対し分離されて案内軸部１９の軸線１９ａに沿って互いに並設され、案内軸部１９の外端部で回動中心軸部１８に係止されたボルト２０の頭部２０ａと、案内軸部１９の内端部でボルト２０に螺合されたナット２１との間で挟持されている。内側挟持部１６は、図５に示すようにコ字形状に形成され、左内壁１２と右内壁１３との間でそれらに係止されてボルト２０に対し回動不能に嵌め込まれている。ナット２１は内側挟持部１６内でボルト２０に螺合されて内側挟持部１６に対し回動不能に嵌め込まれている。
【００１９】
フック４，５は、図３，６に示すように固定機構６の回動中心軸部１８に対しその回動中心線１８ａを中心として回動可能に支持された二股状の操作部２２と、図４に示すように操作部２２から一体にＵ状に延設された引掛部２３と、引掛部２３を覆うとともに操作部２２上に被せられたゴム製のカバー２４とを有している。カバー２４は固定機構６の圧接部１７内に挿入されてボルト２０により止められている。圧接部１７には回動中心軸部１８の回動中心線１８ａを中心として円弧状に延設された圧接面１７ａが形成されている。フック４，５の操作部２２には回動中心軸部１８の回動中心線１８ａに対し所定の偏心距離eだけ偏った中心線１８ｂを中心として円弧状に延設された操作面２２ａが形成されている。操作部２２の操作面２２ａは圧接部１７の圧接面１７ａに接触する。回動中心軸部１８の回動中心線１８ａを中心とする操作面２２ａの半径は円周方向で偏心距離ｅに応じて変化する。
【００２０】
なお、このように組み付けられたフック４，５と固定機構６はキャップ３ａを取り外した支柱３の上端部から挿入される。
次に、自転車用スタンド１において、支柱３に対する各フック４，５の上下方向位置調節作業を説明する。
【００２１】
図２，３，６に示すように各フック４，５の固定状態Ｐでは、引掛部２３が上向きとなるように操作部２２を回動させると、図４，５に示すように、圧接面１７ａが操作面２２ａにより押え付けられるため、圧接部１７により外側挟持部１５が案内壁部１４に押え付けられるとともに、案内軸部１９により内側挟持部１６が案内壁部１４に押え付けられ、外側挟持部１５と内側挟持部１６との間で案内壁部１４を挟持して圧接することができる。従って、各フック４，５を支柱３の適宜位置で締め付けることができる。
【００２２】
図７に示すように各フック４，５の固定状態Ｐで操作部２２を上方へ回動させると、図８に示すように、圧接面１７ａに対する操作面２２ａの圧接が弱まり、案内壁部１４に対する外側挟持部１５及び内側挟持部１６の圧接が解除されてそれらの間に隙間Ｇが生じ得る移動可能状態Ｑとなる。その移動可能状態Ｑでは、各フック４，５を支柱３に対し上下方向へ移動させることができる。その後、各フック４，５を支柱３の適宜位置で締め付けて固定状態Ｐで位置決めする。
【００２３】
各フック４，５の固定状態Ｐで、二股状の操作部２２の内側に露出するボルト２０の頭部２０ａを必要に応じて回動させると、内側挟持部１６により回り止めされたナット２１に対しボルト２０が軸線１９ａの方向に移動して圧接面１７ａに対する操作面２２ａの圧接力を変化させることができる。従って、固定状態Ｐから移動可能状態Ｑにする場合や移動可能状態Ｑから固定状態Ｐにする場合に、操作部２２に対する回動操作力を調節することができる。
【００２４】
また、各フック４，５の操作部２２を案内軸部１９の軸線１９ａを中心に回動させると、図９に示すように、各フック４，５の操作部２２と固定機構６が案内壁部１４に対し案内軸部１９の軸線１９ａを中心に回動し、各フック４，５を横向きにすることもできる。
【００２５】
図１に示すように、自転車用スタンド１をメンテナンス時や展示及び保管時などに利用する場合には、自転車２５のフレーム２６の片側に支柱３を配置して、上側のフック４にフレーム２６のシ−トステー２７を支えるとともに、下側のフック５にフレーム２６のチェーンステー２８を支える。その際、各フック４，５の上下方向位置（高さ）や各フック４，５間の上下方向間隔をシ−トステー２７及びチェーンステー２８に合わせて変更することができる。シ−トステー２７及びチェーンステー２８を各フック４，５に載せたり各フック４，５から持ち上げて外したりして、自転車２５を自転車用スタンド１に対し着脱することができる。
【００２６】
本実施形態は下記の効果を有する。
（１）  自転車用スタンド１の使用時に支柱３を自転車２５の片側に配置してフレーム２６のシ−トステー２７及びチェーンステー２８を各フック４，５に安定性良く支えるので、シ−トステー２７及びチェーンステー２８を各フック４，５に載せたり各フック４，５から持ち上げて外したりするだけで、支柱３に対するフレーム２６の着脱作業を容易にして使い勝手を良くすることができる。
【００２７】
（２）  固定機構６において各フック４，５の操作部２２を回動操作するだけで支柱３に対し固定したり移動させたりすることができるので、フレーム２６の形態に合わせて各フック４，５の上下方向位置（高さ）や各フック４，５間の上下方向間隔を容易に変更して使い勝手を良くすることができる。
【００２８】
（３）  案内軸部１９と回動中心軸部１８と圧接部１７と両挟持部１５，１６とを有する固定機構６により、各フック４，５の操作部２２の回動操作に伴い、操作部２２の操作面２２ａと圧接部１７の圧接面１７ａとを介して、両挟持部１５，１６を案内壁部１４に圧接したりその圧接を解除したりする連動力を円滑に伝達することができる。
【００２９】
（４）  支柱３に対する各フック４，５の上下方向位置（高さ）や各フック４，５間の上下方向間隔をばかりではなく、各フック４，５の操作部２２を案内軸部１９の軸線１９ａを中心に回動させて各フック４，５の向きもフレーム２６の形態に合わせて容易に変更することができる。
【００３０】
前記実施形態以外にも例えば下記のように構成してもよい。
・  圧接部１７を外側挟持部１５と一体的に設けて並設したり、内側挟持部１６を案内軸部１９のナット２１と一体的に設けたりしてもよい。
【００３１】
・  支柱３に一つのフックまたは三以上のフックを設けてもよい。
・  シ−トステー２７やチェーンステー２８以外でフレーム２６をフック４，５に支えるようにしてもよい。
【００３２】
・  自転車用スタンドとしては、立設された支柱にフックを設ける構造の支持部材以外に、横棒にフックを設ける構造の支持部材を採用してもよい。
【符号の説明】
【００３３】
１…自転車用スタンド、３…支柱（支持部材）、４，５…フック、６…固定機構、１４…案内壁部、１５，１６…挟持部、１７…圧接部（力伝達部）、１７ａ…圧接面、１８…回動中心軸部（力伝達部）、１８ａ…回動中心軸部の回動中心線、１８ｂ…偏った中心線、１９…案内軸部（力伝達部）、１９ａ…案内軸部の軸線、２２…操作部、２２ａ…操作面、２５…自転車、２６…フレーム、２７…シ−トステー、２８…チェーンステー、Ｐ…固定状態、Ｑ…移動可能状態。
【図１】
2014034234.tif 000003
【図２】
2014034234.tif 000004
【図３】
2014034234.tif 000005
【図４】
2014034234.tif 000006
【図５】
2014034234.tif 000007
【図６】
2014034234.tif 000008
【図７】
2014034234.tif 000009
【図８】
2014034234.tif 000010
【図９】
2014034234.tif 000011
【図１０】
2014034234.tif 000012